(57)【要約】　　　（修正有）【課題】既存の金属製壁面材を改良することなく、強固な連結強度が確保され、連結するための工程が極めて簡単で、排水機能が確保された堅固な盛土の構築ができ且つ建設コストも安価な、ジオテキスタイルと壁面材との連結構造及び連結方法を提供する。【解決手段】ジオテキスタイル４の第１の折り返し部４ａ内に収納された連結棒５と、二重となった第２の折り返し部４ｂ内に前記連結棒との間でジオテキスタイルを挟んで収納された補助棒６と、壁面材の下側平面部に形成された、ジオテキスタイルに包まれ連結棒及び補助棒が連結棒が補助棒の下側に位置して挿通された逆Ｕ字状の凸状部１ｃと、上下両端にフック部を有し、下側フック部７ａがジオテキスタイルを貫通して前記連結棒と補助棒に係合し、且つ壁面材の立面部を貫通した複数の斜体材７の上側フック部７ｂに挿通された腹起棒８とから構成され、ジオテキスタイルを壁面材と反対側に引張るようにしたものである。【選択図】　　　図２
2004068573.tif 000002
【特許請求の範囲】
【請求項１】
水平の下側平面部と該下側平面部から上方に立ち上げられた立面部とからなる壁面材と、ジオテキスタイルとを連結する構造において、
ジオテキスタイルの第１の折り返し部内に収納された連結棒と、該第１の折り返し部に続くジオテキスタイルが二重となった第２の折り返し部内に前記連結棒との間でジオテキスタイルを挟むようにして収納された補助棒と、壁面材の下側平面部に形成されていて、ジオテキスタイルに包まれたままの連結棒及び補助棒が連結棒が補助棒の下側に位置するようにして挿通された逆Ｕ字状の凸状部と、上下両端にフック部を有していて、下側フック部がジオテキスタイルを貫通して前記連結棒と補助棒に係合し且つ上側フック部が壁面材の立面部を貫通した複数の斜体材と、該立面部の外側に突き出た該複数の斜体材の上側フック部に挿通された腹起し棒とから構成され、この状態でジオテキスタイルを壁面材と反対側に引っ張るようにしてなる、ジオテキスタイルと壁面材との連結構造。
【請求項２】
壁面材の下側平面部の下に他のジオテキスタイルを、その前端部が壁面材の立面部から突出し且つその後端部と前記ジオテキスタイルの前端部とが重なるように設置してなることを特徴とする、請求項１に記載のジオテキスタイルと壁面材との連結構造。
【請求項３】
水平の下側平面部と該下側平面部から上方に立ち上げられた立面部とからなる壁面材と、ジオテキスタイルとを連結する構造において、
ジオテキスタイルの第１の折り返し部内に収納された連結棒と、該第１の折り返し部に続くジオテキスタイルが二重となった第２の折り返し部内に前記連結棒との間でジオテキスタイルを挟むようにして収納された補助棒と、壁面材の下側平面部に形成されていて、ジオテキスタイルに包まれたままの連結棒及び補助棒が連結棒が補助棒の下側に位置するようにして挿通された逆Ｕ字状の凸状部と、上下両端にフック部を有していて、下側フック部がジオテキスタイルを貫通して前記連結棒と補助棒に係合し且つ上側フック部が壁面材の立面部を貫通した複数の斜体材と、該立面部の外側に突き出た該複数の斜体材の上側フック部に挿通された腹起し棒とから構成され、この状態でジオテキスタイルを壁面材側と壁面材の反対側との両方向に引っ張り、壁面材の下側平面部の下にジオテキスタイルの第２の折り返し部より前側の部分を、その前端部が壁面材の立面部から突出するように設置してなる、ジオテキスタイルと壁面材との連結構造。
【請求項４】
ジオテキスタイルの第１及び第２の折り返し部内にそれぞれ収納された前記連結棒及び補助棒を、逆Ｕ字状の固定杭で挟み込むようにして地面に押付け固定するようにしたことを特徴とする、請求項１乃至３のいずれかに記載のジオテキスタイルと壁面材との連結構造。
【請求項５】
前記ジオテキスタイルが不織布であって、その前記斜体材の下側フック部が貫通する個所に該下側フック部を通すのに十分な大きさの切り込みが設けられていることを特徴とする、請求項１乃至５のいずれかに記載のジオテキスタイルと壁面材との連結構造。
【請求項６】
前記ジオテキスタイルが樹脂製ネットであって、その前記斜体材の下側フック部が貫通する個所の網目が該下側フック部を通すのに十分な大きさであることを特徴とする、請求項１乃至５のいずれかに記載のジオテキスタイルと壁面材との連結構造。
【請求項７】
前記壁面材が格子状のものであることを特徴とする、請求項１乃至６のいずれかに記載のジオテキスタイルと壁面材との連結構造。
【請求項８】
前記壁面材が網目状のものであることを特徴とする、請求項１乃至６のいずれかに記載のジオテキスタイルと壁面材との連結構造。
【請求項９】
水平の下側平面部と該下側平面部から上方に立ち上げられた立面部とからなる壁面材と、ジオテキスタイルとを連結する方法において、
ジオテキスタイル上に連結棒をセットした後ジオテキスタイルを折り返して連結棒を包み、ジオテキスタイルが二重となった部分上に前記連結棒の背後に隣接して補助棒をセットした後該二重となった部分折り返して補助棒を包み、壁面材の下側平面部に形成された逆Ｕ字状の凸状部にジオテキスタイルに包まれたままの連結棒及び補助棒を連結棒が補助棒の下側に位置するようにして挿通し、上下両端にフック部を有する複数の斜体材の下側フック部をジオテキスタイルに貫通させて前記連結棒と補助棒に係合させ且つ上側フック部を壁面材の立面部に貫通させ、該立面部の外側に突き出た該複数の斜体材の上側フック部に腹起し棒を挿通し、この状態でジオテキスタイルを壁面材と反対側に引っ張るようにしてなる、ジオテキスタイルと壁面材との連結方法。
【請求項１０】
壁面材の下側平面部の下に他のジオテキスタイルを、その前端部が壁面材の立面部から突出し且つその後端部と前記ジオテキスタイルの前端部とが重なるように設置することを特徴とする、請求項９に記載のジオテキスタイルと壁面材との連結方法。
【請求項１１】
水平の下側平面部と該下側平面部から上方に立ち上げられた立面部とからなる壁面材と、ジオテキスタイルとを連結する方法において、
ジオテキスタイル上に連結棒をセットした後ジオテキスタイルを折り返して連結棒を包み、ジオテキスタイルが二重となった部分上に前記連結棒の背後に隣接して補助棒をセットした後該二重となった部分折り返して補助棒を包み、壁面材の下側平面部に形成された逆Ｕ字状の凸状部にジオテキスタイルに包まれたままの連結棒及び補助棒を連結棒が補助棒の下側に位置するようにして挿通し、上下両端にフック部を有する複数の斜体材の下側フック部をジオテキスタイルに貫通させて前記連結棒と補助棒に係合させ且つ上側フック部を壁面材の立面部に貫通させ、該立面部の外側に突き出た該複数の斜体材の上側フック部に腹起し棒を挿通し、この状態でジオテキスタイルを壁面材側と壁面材の反対側との両方向に引っ張り、壁面材の下側平面部の下にジオテキスタイルの第２の折り返し部より前側の部分を、その前端部が壁面材の立面部から突出するように設置してなる、ジオテキスタイルと壁面材との連結方法。
【請求項１２】
ジオテキスタイルの第１及び第２の折り返し部内にそれぞれ収納された前記連結棒及び補助棒を、逆Ｕ字状の固定杭で挟み込むようにして地面に押付け固定するようにしたことを特徴とする、請求項９乃至１１のいずれかに記載のジオテキスタイルと壁面材との連結方法。
【請求項１３】
前記ジオテキスタイルの前記斜体材の下側フック部が貫通する個所に該下側フック部を通すのに十分な大きさの切り込みを設けることを特徴とする、請求項９乃至１２のいずれかに記載のジオテキスタイルと壁面材との連結方法。
【発明の詳細な説明】
【０００１】
【発明の属する技術分野】
本発明は、盛土工法におけるジオテキスタイルと壁面材との連結構造及び連結方法に関する。
【０００２】
【従来の技術】
従来より、谷間や窪地に道路を建設したり、宅地を造成したり、河川の堤防などを建設するために盛土工法が用いられている。このような盛土工法においては、盛土を補強し、盛土の崩れや雨水による流失を防ぐために側面がＬ字型の金属製の土留め用壁面材が用いられる一方、盛土のせん断を防ぎ、盛土の強化安定化を図るために、補強不織布や樹脂製ネット等のジオテキスタイルを盛土内に層状に埋設配置することが広く行われている。
【０００３】
このジオテキスタイルによる土構造物（盛土）の補強は、引張抵抗性に乏しい土粒子間をジオテキスタイルが拘束し、土構造物を内的に安定させるものである。従って、ジオテキスタイルは、適切な引張強さと伸び変形特性を有し、土の変形に追従して補強機能を発揮できるものが好ましい。
【０００４】
一方、近年、盛土材は、他の建設現場で発生する土のリサイクルや現地建設現場で発生する土の積極的な利用を目的として、高含水比を有していて透水性が悪く、盛土材としてはあまり適さない粘性土を補強土工法に用いるケースが増加している。このような、ジオテキスタイルは、補強材としての補強機能と排水材としての排水機能を併せ持つことが好ましく、ジオテキスタイルを排水材として使用して高含水比の土からなる盛土の圧密促進を図る場合には、ジオテキスタイルの土中での排水機能が十分に確保されなければならない。補強用不織布は、ポリエステル製繊維の補強糸とポリプロピレン繊維の不織布をニードルパンチにより一体化したジオテキスタイルであり、排水機能と高い引張り強度を持った排水性盛土補強材である。
【０００５】
さらに、土留め用壁面材には盛土された土砂による大きな土圧が加わるので、土圧により壁面材が迫り出さないようにするために、壁面材とジオテキスタイルが連結されているのが好ましい。しかし、盛土に埋設されたジオテキスタイルには、盛土によって相当の引張力が負荷されるので、ジオテキスタイルは壁面材との連結部分において切断し易く、長期間に亘る使用には不安がある。
【０００６】
そこで、この不安を払拭した壁面材とジオテキスタイルとの連結構造の一例として、本願出願人提案の特開２００１−４９６６８に記載のものがある。これは、複数本の金属丸棒より成るＬ字型格子状壁面材の一端側に逆Ｕ字状に折り曲げた逆Ｕ字部を形成し、この逆Ｕ字状の凸状部の間で樹脂製ネットの端部側の縦ストランドを少なくとも１本折り曲げて配置し、この折り曲げ部と逆Ｕ字部とに棒状部材を挿入し、折り曲げた樹脂製ネットの縦ストランドを壁面材の立面部側から離れる方向に導き、樹脂製ネットの縦ストランドを対向する樹脂製ネットの縦ストランドの隙間を貫通させて反対側面に位置させ、この貫通させた縦ストランドが形成する空間部に他の棒状部材を挿入して接続して成るものである。
【０００７】
【発明が解決しようとする課題】
しかし、上記従来例に記載の構造にはなおいくつかの改良すべき点があった。その１つは、樹脂製ネットに相当の引張力が負荷された場合に壁面材の逆Ｕ字部が延びるから、これを防止するために、逆Ｕ字部の円の切り欠き部に補強用金属棒を溶接する必要があり、構造が幾分複雑になることであった。
また、壁面材と樹脂製ネットを連結するために、樹脂製ネットの縦ストランドを一本一本折り曲げて対向する縦ストランド間に挿入することや、逆Ｕ字部及び縦ストランドにより形成された折り曲げ部や空間に棒状部材を挿入するという比較的面倒な工程を必要とすることであった。
さらに、ここで用いられるジオテキスタイルはネット状のものであり、その排水機能は十分なものとはいえなかった。
【０００８】
本発明は上記のことにかんがみなされたもので、既存の金属製壁面材を改良したり又特殊な変更をしたりして複雑な構造にすることなく、強固な連結強度が確保され、連結するための工程が極めて簡単であり、十分な補強機能と排水機能が確保され、その結果堅固な盛土の構築ができ且つ建設コストも安くて済む、ジオテキスタイルと壁面材との連結構造及び連結方法を提供することを目的とするものである。
【０００９】
【課題を解決するための手段】
上記目的を達成するために、本発明に係るジオテキスタイルと壁面材との連結構造は、
水平の下側平面部と該下側平面部から上方に立ち上げられた立面部とからなる壁面材と、ジオテキスタイルとを連結する構造において、
ジオテキスタイルの第１の折り返し部内に収納された連結棒と、該第１の折り返し部に続くジオテキスタイルが二重となった第２の折り返し部内に前記連結棒との間でジオテキスタイルを挟むようにして収納された補助棒と、壁面材の下側平面部に形成されていて、ジオテキスタイルに包まれたままの連結棒及び補助棒が連結棒が補助棒の下側に位置するようにして挿通された逆Ｕ字状の凸状部と、上下両端にフック部を有していて、下側フック部がジオテキスタイルを貫通して前記連結棒と補助棒に係合し且つ上側フック部が壁面材の立面部を貫通した複数の斜体材と、該立面部の外側に突き出た該複数の斜体材の上側フック部に挿通された腹起し棒とから構成され、この状態でジオテキスタイルを壁面材と反対側に引っ張るようにしてなるものである。
【００１０】
そして、上記構成において、壁面材の下側平面部の下に他のジオテキスタイルを、その前端部が壁面材の立面部から突出し且つその後端部と前記ジオテキスタイルの前端部とが重なるように設置してなることを特徴としている。
【００１１】
また、本発明に係るジオテキスタイルと壁面材との連結構造は、
水平の下側平面部と該下側平面部から上方に立ち上げられた立面部とからなる壁面材と、ジオテキスタイルとを連結する構造において、
ジオテキスタイルの第１の折り返し部内に収納された連結棒と、該第１の折り返し部に続くジオテキスタイルが二重となった第２の折り返し部内に前記連結棒との間でジオテキスタイルを挟むようにして収納された補助棒と、壁面材の下側平面部に形成されていて、ジオテキスタイルに包まれたままの連結棒及び補助棒が連結棒が補助棒の下側に位置するようにして挿通された逆Ｕ字状の凸状部と、上下両端にフック部を有していて、下側フック部がジオテキスタイルを貫通して前記連結棒と補助棒に係合し且つ上側フック部が壁面材の立面部を貫通した複数の斜体材と、該立面部の外側に突き出た該複数の斜体材の上側フック部に挿通された腹起し棒とから構成され、この状態でジオテキスタイルを壁面材側と壁面材の反対側との両方向に引っ張り、壁面材の下側平面部の下にジオテキスタイルの第２の折り返し部より前側の部分を、その前端部が壁面材の立面部から突出するように設置してなるものである。
【００１２】
また、上記構成において、ジオテキスタイルの第１及び第２の折り返し部内にそれぞれ収納された前記連結棒及び補助棒を、逆Ｕ字状の固定杭で挟み込むようにして地面に押付け固定するようにしたことを特徴としている。
【００１３】
また、上記構成において、前記ジオテキスタイルが不織布であって、その前記斜体材の下側フック部が貫通する個所に該下側フック部を通すのに十分な大きさの切り込みが設けられていることを特徴としている。
【００１４】
また、上記構成において、前記ジオテキスタイルが樹脂製ネットであって、その前記斜体材の下側フック部が貫通する個所の網目が該下側フック部を通すのに十分な大きさであることを特徴としている。
また、上記構成において、前記壁面材は格子状または網目状のものであることを特徴としている。
【００１５】
上記目的を達成するために、本発明に係るジオテキスタイルと壁面材との連結方法は、
水平の下側平面部と該下側平面部から上方に立ち上げられた立面部とからなる壁面材と、ジオテキスタイルとを連結する方法において、
ジオテキスタイル上に連結棒をセットした後ジオテキスタイルを折り返して連結棒を包み、ジオテキスタイルが二重となった部分上に前記連結棒の背後に隣接して補助棒をセットした後該二重となった部分折り返して補助棒を包み、壁面材の下側平面部に形成された逆Ｕ字状の凸状部にジオテキスタイルに包まれたままの連結棒及び補助棒を連結棒が補助棒の下側に位置するようにして挿通し、上下両端にフック部を有する複数の斜体材の下側フック部をジオテキスタイルに貫通させて前記連結棒と補助棒に係合させ且つ上側フック部を壁面材の立面部に貫通させ、該立面部の外側に突き出た該複数の斜体材の上側フック部に腹起し棒を挿通し、この状態でジオテキスタイルを壁面材と反対側に引っ張るようにしてなるものである。
【００１６】
そして、上記構成において、壁面材の下側平面部の下に他のジオテキスタイルを、その前端部が壁面材の立面部から突出し且つその後端部と前記ジオテキスタイルの前端部とが重なるように設置することを特徴としている。
【００１７】
また、本発明に係るジオテキスタイルと壁面材との連結方法は、
水平の下側平面部と該下側平面部から上方に立ち上げられた立面部とからなる壁面材と、ジオテキスタイルとを連結する方法において、
ジオテキスタイル上に連結棒をセットした後ジオテキスタイルを折り返して連結棒を包み、ジオテキスタイルが二重となった部分上に前記連結棒の背後に隣接して補助棒をセットした後該二重となった部分折り返して補助棒を包み、壁面材の下側平面部に形成された逆Ｕ字状の凸状部にジオテキスタイルに包まれたままの連結棒及び補助棒を連結棒が補助棒の下側に位置するようにして挿通し、上下両端にフック部を有する複数の斜体材の下側フック部をジオテキスタイルに貫通させて前記連結棒と補助棒に係合させ且つ上側フック部を壁面材の立面部に貫通させ、該立面部の外側に突き出た該複数の斜体材の上側フック部に腹起し棒を挿通し、この状態でジオテキスタイルを壁面材側と壁面材の反対側との両方向に引っ張り、壁面材の下側平面部の下にジオテキスタイルの第２の折り返し部より前側の部分を、その前端部が壁面材の立面部から突出するように設置してなるものである。
【００１８】
また、上記構成において、ジオテキスタイルの第１及び第２の折り返し部内にそれぞれ収納された前記連結棒及び補助棒を、逆Ｕ字状の固定杭で挟み込むようにして地面に押付け固定するようにしたことを特徴としている。
【００１９】
また、上記構成において、前記ジオテキスタイルの前記斜体材の下側フック部が貫通する個所に該下側フック部を通すのに十分な大きさの切り込みを設けることを特徴としている。
【００２０】
【作　用】
上記構成によれば、ジオテキスタイルが壁面材の下側平面部に直接連結されるのみならず斜体材を介して壁面材の立面部にも間接的に連結されるので、壁面材とジオテキスタイルのとが強固に連結される。
しかも、壁面材，連結棒、補助棒、ジオテキスタイル、斜体材及び腹起し棒はいずれも既存の部材であり、従来例のように既存の金属製壁面材等の改良及び特殊な変更をして複雑な構造にすることなく、簡単な構造のまま強固な連結強度が確保される。また、壁面材とジオテキスタイルを連結するために、従来例のように樹脂製ネットの縦ストランドを一本一本折り曲げて対向する縦ストランド間に挿入することや、逆Ｕ字部及び縦ストランドにより形成された折り曲げ部や空間に棒状部材を挿入するという面倒な工程を必要とせず、ジオテキスタイルに数少ない切り込みを入れ（必要な場合だけ）、ジオテキスタイルを連結棒及び補助棒に巻きつけ、斜体材を両棒に係合させることなど、極めて簡単な工程で済む。さらに、ジオテキスタイルが補強用不織布である場合、十分な排水機能が確保される。その結果、堅固な盛土の構築ができ且つ建設コストも安くて済むという利点がある。
また、逆Ｕ字形の固定杭で補助棒及び連結棒をジオテキスタイルを介して挟み込み且つ地面に押付け固定するので、両棒の回転が防止されて壁面材とジオテキスタイルとの連結がより強固になるという利点もある。
【００２１】
【発明の実施の形態】
本発明の第１の実施形態を図１乃至１６に基づいて説明する。
図１は本実施形態の斜視図、図２はその概略側面図、図３は図２の要部拡大断面図である。
【００２２】
金属製の壁面材１は、複数本の縦金属棒１ａと複数本の横金属棒１ｂとを互いに直交するようにして格子状に配置し且つその直交部分を溶接した後、全ての縦金属棒１ａをそのほぼ中央位置にて横金属棒１ｂと平行な線を折り曲げ線として屈曲させることにより側面がＬ字型になるように形成され、全体として、水平な下側平面部２と、該下側平面部２から上方に立ち上げられた立面部３とから構成されている。下側平面部２と立面部３とのなす角度θは、通常４５〜９０度である。そして、下側平面部２を構成する全ての縦金属棒１ａの立面部３と反対側の端部には上側に湾曲する逆Ｕ字状の凸状部１ｃが設けられ、これらの逆Ｕ字状の凸状部１ｃは上記折り曲げ線に対して平行な列をなしている。
【００２３】
壁面材１の下側平面部２に連結される補強用不織布等のジオテキスタイル４は、その一端が、上記逆Ｕ字状の凸状部１ｃの列と平行な線を折り曲げ線として所定の折幅で折り返されている。そして、ジオテキスタイル４の第１の折り返し部４ａ内に丸鋼製の連結棒５が収納され、さらに該第１の折り返し部４ａに続くジオテキスタイル４が二重となった第２の折り返し部４ｂ内に丸鋼製の補助棒６が連結棒５との間にジオテキスタイル４を挟むようにして収納され、この状態を保持したまま即ちジオテキスタイル４に包まれたまま連結棒５及び補助棒６が連結棒５が補助棒６の下側に位置するようにして逆Ｕ字状の凸状部１ｃの列に挿通されている。なお、連結棒５及び補助棒６の径は９〜１３ｍｍが好ましい。
【００２４】
壁面材１に対して水平方向に所定の間隔をおいて配置された複数の斜体材７は、各上下両端にフック部７ｂ及び７ａを有しており、下側のフック部７ａがジオテキスタイル４の第１及び第２の折り返し部４ａ及び４ｂ及びその近傍に形成された後述の切り込みを通って連結棒５及び補助棒６に下側から係合している。なお、連結棒５が補助棒６の周りに回転して不安定になったり、両棒５及び６がフック部７ａから抜けたりしないようにするために、下側フック部７ａの内側の幅は連結棒５の径と補助棒６の径との和よりも小さく、下側フック部７ａの内側の深さは連結棒５の径と補助棒６の径との和よりも大きいものとする。そして、下側フック部７ａの内側の幅は連結棒５と補助棒６のうち大径の棒の径の１．１〜１．５倍程度であり、下側フック部７ａの深さは該大径の棒の径の２．１〜３．５倍程度であることが好ましい。また、上側のフック部７ｂが壁面材１の立面部３の縦金属棒１ａの上端部間を貫通し、立面部３の外側に突き出た全ての斜体材７のフック部７ｂに、丸鋼製の腹起し棒８が壁面材１の横金属棒１ｂと平行になるようにして挿通されている。
【００２５】
この状態でジオテキスタイル４を図３の矢印方向に引っ張ると、まず連結棒５と補助棒６がジオテキスタイル４を挟みつけながら密接し、両棒５及び６とジオテキスタイル４との間の摩擦力が増大するので、ジオテキスタイル４の矢印方向への抜けが確実に防止される。ここで、ジオテキスタイル４の引っ張り力を強くすれば強くするほど連結棒５と補助棒６との相互の密接力が強まり、それらの間のジオテキスタイル４がますます強く挟みつけられるので、ジオテキスタイル４の引き抜きが一層確実に防止される。さらに、両棒５及び６がジオテキスタイル４を介して丸鋼製の斜体材７の下側フック部７ａに圧接して斜体材７をその長手方向に引っ張る。すると、斜体材７の上側フック部７ｂが腹起し棒８を壁面材１の立面部３の縦金属棒１ａに圧接させるようになる。また、ジオテキスタイル４が上記矢印方向に引っ張られることにより、両棒５及び６が逆Ｕ字状の凸状部１ｃの内側にも圧接されるようになる。かくして、ジオテキスタイル４が壁面材１の下側平面部２に直接連結されるのみならず斜体材７を介して壁面材１の立面部３にも間接的に連結されるので、壁面材１とジオテキスタイルの４とが強固に連結される。
【００２６】
なお、壁面材１は、上記格子状のもののほかに、菱形網目エキスパンドメタルや亀甲形網目エキスパンドメタルであってもよい。また、ジオテキスタイル４は、上記不織布のほかに樹脂製ネットでもよいが、排水機能にすぐれている不織布の方がより好ましい。また、連結棒５及び補助棒６は、上記丸鋼製のもののほかに角鋼製のものであってもよく、その場合ジオテキスタイル４に対する連結棒５及び補助棒６の摩擦力が増すので、ジオテキスタイル４の抜けが一層確実に防止される。また、斜体材７の下側フック部７ａが十分な深さを有していれば、連結棒５及び補助棒６に対して上側から係合するようにしてもよい。斜体材７は、径が９〜１２ｍｍの丸鋼が好ましい。
【００２７】
次に、この第１の実施形態における壁面材１とジオテキスタイル４の施工方法について説明する。
まず、図４に示したように、補強用不織布であるジオテキスタイル４の一端を３０〜５０ｃｍ程度折り返して第１の折り返し部４ａを形成する。次に、図５に示したように、斜体材７の下側フック部７ａが挿入できるように折り返し部４ａにナイフ、ハサミ等で下側フック部７ａを通すのに十分な大きさの、例えば１０ｃｍ程度の切り込み４ｃを数箇所入れる。上記切り込み個所は、壁面材１の横方向の長さ及び斜体材７の位置によって異なるが、壁面材１の長さが２ｍの場合は４箇所、１ｍの場合は２個所が好ましい。
【００２８】
次に、図６に示したように、ジオテキスタイル４の折り返し部４ａを開いて各切り込み４ａの中央即ち折り返し部４ａ上に連結棒５をセットする。次に、図７に示したように、ジオテキスタイル４を折り返して折り返し部４ａ内に連結棒５が包まれた状態にする。続いて、図８に示したように、補助棒６をジオテキスタイル４を介して連結棒５の背部に隣接する状態にセットし、図９に示したようにジオテキスタイル４と一緒に連結棒５を持ってジオテキスタイル４の二重になっている部分を補助棒６に巻きつける。この時、連結棒５と補助棒６との位置が図８の状態と逆転し、補助棒６に巻きついているジオテキスタイル４の二重部分が第２の折り返し部４ｂとなる（図３参照）。
【００２９】
次に、図１０に示したように、斜体材７の下側フック部７ａを補助棒６及び連結棒５の下側から切り込み４ｃに通して両棒６及び５にフック部７ａを係合させる。この時、連結棒５が補助棒６の下側に位置するようにする（図３参照）。続いて、図１１に示したように、予め立面部３が接地するように倒してあった壁面材１の下側平面部２の縦金属棒１ａ間に斜体材７の上側フック部７ｂを通す。
【００３０】
次に、図１２に示したように、壁面材１を起こして正規の状態にすることにより、壁面材１の下側平面部の逆Ｕ字状の凸状部１ｃの列を連結棒５及び補助棒６に上方から嵌合する（図３参照）と共に、壁面材１の立面部３の縦金属１ａ間に斜体材７の上側フック部７ｂを通す。続いて、図１３に示したように、立面部３の外側に突き出た全ての斜体材７の上側フック部７ｂに、腹起し棒８を壁面材１の横金属棒１ｂと平行になるようにして挿通する。
【００３１】
次に、図１４に示したように、少なくとも１対の楔型の固定杭９を壁面材１の下側平面部２の逆Ｕ字状の凸状部１ｃの近傍を貫通して地面に打ち込み、壁面材１を地面に固定する。次に、図１５に示したように、壁面材１とジオテキスタイル４との連結部のたるみを取るためにジオテキスタイル４の他端を持って引っ張ると、図３を参照して詳細に説明した上記原理により、ジオテキスタイル４の引き抜きが確実に防止されると共に、壁面材１とジオテキスタイルの４とが強固に連結され、図１６に示した施工完了状態となる。
【００３２】
この後、図示しないが、壁面材１の下側平面部２及びジオテキスタイル４上に盛土されて転圧されることにより、盛土の一層が形成され、壁面材１の立面部３の表側が法面となる。そして、必要な数の層を積層形成するために、上記工程が繰り返される。
【００３３】
この第１の実施形態によれば、壁面材１，連結棒５、補助棒６、ジオテキスタイル４、斜体材７及び腹起し棒８はいずれも既存の部材であり、従来例のように既存の金属製壁面材等の改良及び特殊な変更をして複雑な構造にすることなく、簡単な構造のまま強固な連結強度が確保される。また、壁面材１とジオテキスタイルを連結するために、従来例のように樹脂製ネットの縦ストランドを一本一本折り曲げて対向する縦ストランド間に挿入することや、逆Ｕ字部及び縦ストランドにより形成された折り曲げ部や空間に棒状部材を挿入するという面倒な工程を必要とせず、ジオテキスタイル４に数少ない切り込み４ｃを入れ、ジオテキスタイル４を連結棒５及び補助棒６に巻きつけ、斜体材７を両棒に係合させることなど、極めて簡単な工程で済む。実際、これらの工程に要した時間は、２人で約３分であった。さらに、ジオテキスタイル４が補強用不織布であるので、十分な補強機能と排水機能が確保される。その結果、堅固な盛土の構築ができ且つ建設コストも安くて済むという利点がある。
【００３４】
次に、本発明の第２の実施形態を説明する。
この実施形態は、第１の実施形態の構造に加えて、壁面材１の下側平面部２の下に不織布である同種の他のジオテキスタイル４’を、その前端部が壁面材１の立面部３から突出し且つその後端部とジオテキスタイル４の前端部（壁面材１との連結部）とが重なるように設置してなるものである。すなわち、第１の実施形態の工程において、腹起し棒８のセットが完了した後に、図１７に示したように、壁面材１の下側平面部２の下に不織布である同種の他のジオテキスタイル４’を設置する工程、及び図１８に示したように、他のジオテキスタイル４’に固定杭９が貫通できるようにするためにカッタナイフ等で切り込み４’ｃを入れる工程とを付加してなるものである。
【００３５】
この第２の実施形態によれば、上記第１の実施形態の作用効果に加えて、ジオテキスタイル４’の前端部が法面に露出するようになるので、盛土中の水分がジオテキスタイル４及び４’を介して一層逃げやすくなり、排水機能が一層強化されるという利点がある。
【００３６】
次に、本発明の第３の実施形態を説明する。
本実施形態は、上記丸鋼製の斜体材の代わりに板鋼製の斜体材１７を用いるものである。壁面材１に対して水平方向に所定の間隔をおいて配置された複数の斜体材１７は、図１９に示したように、各上下両端に腹起こし棒挿通孔１７ｂ及びフック部１７ａを有しており、下端のフック部１７ａがジオテキスタイル４の第１及び第２の折り返し部４ａ及び４ｂ及びその近傍に形成された後述の切り込みを通って連結棒５及び補助棒６に下側から係合している。なお、連結棒５が補助棒６の周りに回転して不安定になったり、両棒５及び６がフック部１７ａから抜けたりしないようにするために、下側フック部１７ａの内側の幅は連結棒５の径と補助棒６の径との和よりも小さく、下側フック部７ａの内側の深さは連結棒５の径と補助棒６の径との和よりも大きいものとする。そして、下側フック部１７ａの内側の幅は連結棒５と補助棒６のうち大径の棒の径の１．１〜１．５倍程度であり、下側フック部１７ａの深さは該大径の棒の径の２．１〜３．５倍程度であることが好ましい。また、斜体材１７の上端部が壁面材１の土留め部３の縦金属棒１ａの上端部間を貫通し、土留め部３の外側に突き出た全ての斜体材１７の上端部の腹起こし棒挿通孔１７ｂに、丸鋼製の腹起こし棒８が壁面材１の横金属棒１ｂと平行になるようにして挿通されている。なお、斜体材１７の板厚は６ｍｍ程度である。
【００３７】
この状態でジオテキスタイル４の両端を図１９の両矢印方向即ち壁面材１側と壁面材１の反対側との両方向に引っ張ると、まず連結棒５と補助棒６がジオテキスタイル４を挟みつけながら密接し、両棒５及び６とジオテキスタイル４との間の摩擦力が増大するので、ジオテキスタイル４の両矢印方向への抜けが確実に防止される。ここで、ジオテキスタイル４の引っ張り力を強くすれば強くするほど連結棒５と補助棒６との相互の密接力が強まり、それらの間のジオテキスタイル４がますます強く挟みつけられるので、ジオテキスタイル４の引き抜きが一層確実に防止される。さらに、両棒５及び６がジオテキスタイル４を介して板鋼製の斜体材１７の下側フック部１７ａに圧接して斜体材１７をその長手方向に引っ張る。すると、斜体材１７の上端部が腹起こし棒８を壁面材１の土留め部３の縦金属棒１ａに圧接させるようになる。また、ジオテキスタイル４が上記両矢印方向に引っ張られることにより、両棒５及び６が逆Ｕ字状の凸状部１ｃの内側にも圧接されるようになる。かくして、ジオテキスタイル４が壁面材１の下側支持部２に直接連結されるのみならず斜体材１７を介して壁面材１の土留め部３にも間接的に連結されるので、壁面材１とジオテキスタイルの４とが強固に連結される。
【００３８】
なお、ジオテキスタイル４の壁面材１の下側支持部２の下に配置される、第２の折り返し部４ｂより前側部分の長さは、その前端部が壁面材１の立面部３から突出する程度の長さになっている。また、壁面材１、ジオテキスタイル４、連結棒５及び補助棒６は、上記第１及び第２の実施形態と同様な材料及び形状のものを用いることができ、同様な作用効果を奏する。また、斜体材１７の下側フック部１７ａの内側が十分な深さを有していれば、連結棒５及び補助棒６に対して上側から係合するようにしてもよい。
【００３９】
次に、この第３の実施形態における壁面材１とジオテキスタイル４の施工方法について説明する。
まず、第１の実施形態に関する図４乃至図９の工程と同じ施工工程を実施する。
次に、図２０に示したように、ジオテキスタイル４の上側重なり部分を前側（図２０の左側）に折り返して展開した後、斜体材１７の下側フック部１７ａを補助棒６及び連結棒５の下側から切り込み４ｃに通して両棒６及び５にフック部１７ａを係合させる。この時、連結棒５が補助棒６の下側に位置するようにする（図１９参照）。続いて、第１の実施形態に関する図１１乃至図１３と同様な施工工程を実施して、土留め部３の外側に突き出た全ての斜体材１７の上端部の腹起こし棒挿通孔１７ｂに、腹起こし棒８を壁面材１の横金属棒１ｂと平行になるようにして挿通する。
【００４０】
次に、図２１に示したように、少なくとも１対の逆Ｕ字形の固定杭１９（図２２参照）を、壁面材１の下側支持部２の逆Ｕ字状の凸状部１ｃの真上から、斜体材１７とほぼ平行に、ジオテキスタイル４の第１及び第２の折り返し部４ａ及び４ｂ内に収納された補助棒６及び連結棒５を挟み込むようにして、ジオテキスタイル４を貫通して地面に打ち込み、補助棒６及び連結棒５をジオテキスタイル４を介して地面に押付け固定する。この固定杭１９は、図２２に示したように逆Ｕ字形で、その先端が鋭利な形状を呈している。この固定杭１９の内側の幅は連結棒５の径と補助棒６の径との和よりも小さく、例えば斜体材１７のフック部１７ａの内側の幅と同じで良い。また、固定杭１９の内側の深さは、連結棒５の径と補助棒６の径との和以上であって固定杭１９が地面にしっかりと侵入し得る長さとする。
【００４１】
次に、図２１に示したように、壁面材１とジオテキスタイル４との連結部のたるみを取るためにジオテキスタイル４の前後両端を持って引っ張ると、図１９を参照して詳細に説明した上記原理により、ジオテキスタイル４の引き抜きが確実に防止されると共に、壁面材１とジオテキスタイルの４とが強固に連結され、施工完了状態となる。
【００４２】
この後、第１の実施形態と同様に、壁面材１の下側支持部２及びジオテキスタイル４上に盛土されて転圧されることにより、盛土の一層が形成され、壁面材１の土留め部３の表側が法面となる。そして、必要な数の層を積層形成するために、上記工程が繰り返される。
【００４３】
この第３の実施形態によれば、第１の実施形態の作用効果に加えて、第２の実施形態の作用効果、即ちジオテキスタイル４の前端部が法面に露出するようになるので、盛土中の水分がジオテキスタイル４を介して一層逃げやすくなり、排水機能が一層強化されるという利点がある。
さらに、図１９を図３と比較すれば明らかのように、連結棒５及び補助棒６に対するジオテキスタイル４の巻き量が第１の実施形態に比べて少なくなり、コストが安くなる。
また、上記逆Ｕ字形の固定杭１９で補助棒６及び連結棒５をジオテキスタイル４を介して挟み込み且つ地面に押付け固定しているので、両棒５及び６の回転が防止されて壁面材１とジオテキスタイル４との連結がより強固になると共に、壁面材１とジオテキスタイル４との連結部が固定杭１９により直接地面に固定されることになり、壁面材１とジオテキスタイル４がより強固に地面に固定される。かくして、施工性が改善される。
【００４４】
なお、上記いずれの実施形態においても、ジオテキスタイル４が斜体材７の下側フック部７ａや固定杭９を通すのに十分な大きさの網目を有している樹脂製ネットである場合、ジオテキスタイル４及び４’に切り込みを入れる工程が不要となり、ジオテキスタイル４を折り返す工程が１回で済むようになる。また、第３の実施形態に用いた固定杭１９は、上記第１及び第２の実施形態において固定杭９の代わりに用いることも可能である。
【００４５】
【発明の効果】
本発明によるジオテキスタイルと壁面材の連結構造及び連結方法よれば、既存の金属製壁面材を改良したり又特殊な変更をしたりして複雑な構造にすることなく、強固な連結強度が確保され、連結するための工程が極めて簡単であり、十分な補強機能と排水機能が確保され、その結果堅固な盛土の構築ができ且つ建設コストも安くて済むという重要な利点がある。
【図面の簡単な説明】
【図１】本発明の第１の実施形態の斜視図である。
【図２】本発明の第１の実施形態の概略側面図である。
【図３】図２の要部拡大図である。
【図４】本発明の第１の実施態様の施工工程において、ジオテキスタイルを折り返した状態を示す斜視図である。
【図５】ジオテキスタイルに切り込みを入れる状態を示す斜視図である。
【図６】ジオテキスタイル上に連結棒をセットした状態を示す斜視図である。
【図７】ジオテキスタイルで連結棒を包んだ状態を示す斜視図である。
【図８】ジオテキスタイル上に補助棒をセットした状態を示す斜視図である。
【図９】ジオテキスタイルの二重部分で補助棒を包む状態を示す斜視図である。
【図１０】ジオテキスタイルの切り込みに斜体材の下側フック部を貫通させた状態を示す斜視図である。
【図１１】壁面材の下側平面部に斜体材の上側フック部を貫通させた状態を示す斜視図である。
【図１２】壁面材の立面部に斜体材の上側フック部を貫通させた状態を示す斜視図である。
【図１３】斜体材の上側フック部に腹起し棒を貫通させる状態を示す斜視図である。
【図１４】壁面材の下側平面部を固定杭で地面に固定した状態を示す斜視図である。
【図１５】ジオテキスタイルを引っ張る状態を示す斜視図である。
【図１６】施工完了状態を示す斜視図である。
【図１７】本発明の第２の実施形態の施工工程として第１の実施形態の施工工程に付加される工程において、壁面材の下側平面部の下に同種の他のジオテキスタイルを設置した状態を示す図である。
【図１８】他のジオテキスタイルに切り込みを入れる状態を示す図である。
【図１９】本発明の第３の実施形態の要部拡大図である。
【図２０】ジオテキスタイルの切り込みに斜体材の下側フック部を貫通させた状態を示す斜視図である。
【図２１】壁面材の下側支持部とジオテキスタイルとの連結部を固定杭で地面に固定した状態を示す斜視図である。
【図２２】固定杭の正面図である。
【符号の説明】
１…壁面材、１ａ…縦金属棒、１ｂ…横金属棒、１ｃ…逆Ｕ字状の凸状部、２…下側平面部、３…立面部、４、４’…ジオテキスタイル、４ａ…第１の折り返し部、４ｂ…第２の折り返し部、４ｃ，４’ｃ…切り込み、５…連結棒、６…補助棒、７…斜体材、７ａ，７ｂ…フック部、８…腹起し棒、９…固定杭、１７…斜体材、１７ａ…フック部、１７ｂ…腹起こし棒挿通孔、１９固定杭。
【図１】
2004068573.tif 000003
【図２】
2004068573.tif 000004
【図３】
2004068573.tif 000005
【図４】
2004068573.tif 000006
【図５】
2004068573.tif 000007
【図６】
2004068573.tif 000008
【図７】
2004068573.tif 000009
【図８】
2004068573.tif 000010
【図９】
2004068573.tif 000011
【図１０】
2004068573.tif 000012
【図１１】
2004068573.tif 000013
【図１２】
2004068573.tif 000014
【図１３】
2004068573.tif 000015
【図１４】
2004068573.tif 000016
【図１５】
2004068573.tif 000017
【図１６】
2004068573.tif 000018
【図１７】
2004068573.tif 000019
【図１８】
2004068573.tif 000020
【図１９】
2004068573.tif 000021
【図２０】
2004068573.tif 000022
【図２１】
2004068573.tif 000023
【図２２】
2004068573.tif 000024